(57)【特許請求の範囲】
【請求項１】
遊技球が流下する遊技領域が設けられた遊技盤と、前記遊技領域から遊技球が入賞可能な入賞装置とを有する遊技機において、
前記入賞装置は、
前記遊技領域に開口する入賞口が設けられると共に、該入賞口に入賞した遊技球が流下する球通路を前後方向に延在するように画成する本体と、
前記本体における前記球通路の左右両側に対向して設けられて該球通路に突出し、該球通路における遊技球の流下方向に沿って延在するように形成されて遊技球を案内する第１案内部および第２案内部と、
前記本体に配設され、前記入賞口への遊技球の入賞が可能または容易となる開放状態と入賞口への遊技球の入賞が不能または困難になる閉成状態との間で開閉作動可能な開閉部材と、
前記本体に配設され、前記開閉部材に設けられた作動片に係合する連繋部を備え、該連繋部を作動することで連繋部と作動片との係合作用下に前記開閉部材を前記開放状態と閉成状態との間で作動させる作動手段とを備え、
前記第１案内部を挟んで前記球通路と反対側に、前記作動片と連繋部との係合部位が収容される収容部が、前記本体の内周壁面と第１案内部との間に形成され、
前記第１案内部の前部に、当接した遊技球を後側に向けて誘導する傾斜面が形成され、
前記第２案内部の前端部は、前記第１案内部における傾斜面より後側に位置すると共に、該第２案内部における前記第１案内部と対向する側面の前部に、当接した遊技球を後側に向けて誘導する傾斜面が形成され、
前記第１案内部の傾斜面によって遊技球が前記第２案内部の傾斜面に向けて誘導可能に構成された
ことを特徴とする遊技機。
【発明の詳細な説明】
【技術分野】
【０００１】
この発明は、入賞装置を備えた遊技機に関するものである。
【背景技術】
【０００２】
代表的な遊技機であるパチンコ機は、前面に遊技領域が画成された遊技盤の略中央位置に枠状の装飾体(所謂センター役物)が配設されると共に、複数の図柄を変動表示して図柄変動演出を行う液晶式やドラム式等の図柄表示装置が遊技盤の裏側に配設されて、該図柄表示装置の表示部を枠状装飾体の開口部に後方から臨ませて、該開口部を介して表示部で実行される演出を前側から視認可能に構成されている。また遊技盤に、パチンコ球(遊技球)の入賞により図柄表示装置での変動を開始させる始動入賞装置(入賞装置)や、大当り遊技が付与された際に開放する特別入賞装置(入賞装置)を配設したものが多数提案されている(例えば、特許文献１参照)。このようなパチンコ機では、前記始動入賞装置の始動入賞口(入賞口)へのパチンコ球の入賞を契機として行われる当り判定に当選することで、図柄表示装置に所定の当り表示(例えば同一図柄の三つ揃等)が表示され、その結果、遊技者に有利な大当り遊技が付与される。このような大当り遊技では、特別入賞口(入賞口)を開閉可能に閉鎖する前記特別入賞装置の開閉部材が適宜の開放パターンで開閉動作されて、特別入賞口へのパチンコ球の入賞機会が与えられ、遊技者が賞球を獲得し得るようになっている。
【先行技術文献】
【特許文献】
【０００３】
【特許文献１】特開２０１３−２０８３０６号公報
【発明の概要】
【発明が解決しようとする課題】
【０００４】
前記パチンコ機では、近年の図柄表示装置の大型化に伴い、枠状装飾体における開口部を大きくして、インパクトのある図柄変動演出を行う傾向にある。このため、遊技盤の前面において枠状装飾体が占める面積が大きくなることで遊技領域が狭くなるため、該遊技領域に設置される各種の入賞装置の設置スペースを減らしてスペース効率を向上することが望まれている。但し、スペース効率を向上するために入賞装置の小型化を図る場合には、入賞口に入賞したパチンコ球がスムーズに流れずに球詰まりが発生する問題を招くおそれがある。
【０００５】
すなわち本発明は、従来の技術に係る遊技機に内在する前記問題に鑑み、これらを好適に解決するべく提案されたものであって、入賞装置での球詰りを抑制すると共にスペース効率を向上し得る遊技機を提供することを目的とする。
【課題を解決するための手段】
【０００６】
前記課題を解決し、所期の目的を達成するため、本願の請求項１に係る発明は、
遊技球(P)が流下する遊技領域(23)が設けられた遊技盤(20)と、前記遊技領域(23)から遊技球(P)が入賞可能な入賞装置(29)とを有する遊技機において、
前記入賞装置(29)は、
前記遊技領域(23)に開口する入賞口(38)が設けられると共に、該入賞口(38)に入賞した遊技球(P)が流下する球通路(62)を前後方向に延在するように画成する本体(36)と、
前記本体(36)における前記球通路(62)の左右両側に対向して設けられて該球通路(62)に突出し、該球通路(62)における遊技球(P)の流下方向に沿って延在するように形成されて遊技球(P)を案内する第１案内部(73)および第２案内部(74)と、
前記本体(36)に配設され、前記入賞口(38)への遊技球(P)の入賞が可能または容易となる開放状態と入賞口(38)への遊技球(P)の入賞が不能または困難になる閉成状態との間で開閉作動可能な開閉部材(59)と、
前記本体(36)に配設され、前記開閉部材(59)に設けられた作動片(61)に係合する連繋部(72a)を備え、該連繋部(72a)を作動することで連繋部(72a)と作動片(61)との係合作用下に前記開閉部材(59)を前記開放状態と閉成状態との間で作動させる作動手段(68)とを備え、
前記第１案内部(73)を挟んで前記球通路(62)と反対側に、前記作動片(61)と連繋部(72a)との係合部位が収容される収容部(75)が、前記本体(36)の内周壁面と第１案内部(73)との間に形成され、
前記第１案内部(73)の前部に、当接した遊技球(P)を後側に向けて誘導する傾斜面(73c)が形成され、
前記第２案内部(74)の前端部は、前記第１案内部(73)における傾斜面(73c)より後側に位置すると共に、該第２案内部(74)における前記第１案内部(73)と対向する側面の前部に、当接した遊技球(P)を後側に向けて誘導する傾斜面(74b)が形成され、
前記第１案内部(73)の傾斜面(73c)によって遊技球(P)が前記第２案内部(74)の傾斜面(74b)に向けて誘導可能に構成されたことを要旨とする。
【０００７】
請求項１に係る発明によれば、一対の案内部によって遊技球のスムーズな流下を図って球詰りを抑制し得ると共に、第１案内部を利用して作動片と連繋部との係合部位を収容する収容部を形成することで省スぺース化を図り、スペース効率を向上し得る。また、球通路を流下する遊技球が作動片と連繋部との係合部位に接触するのを第１案内部によって防ぐことができ、係合部位と遊技球との接触を防止するために別部材を設ける場合に比較して構成を簡略化し得る。
更に、左右に対向する両案内部の傾斜面によって遊技球をスムーズに球通路の後側に誘導することができ、球通路内での球詰りを好適に抑制し得る。
【０００８】
本願には、次のような技術的思想が含まれている。
前記本体(36)に、前記球通路(62)の後端部で開口して遊技球(P)を本体外部に排出する排出路(65)が設けられ、
前記第１案内部(73)は、前記本体(36)における前記球通路(62)の後面を画成する後壁(47)に、該本体(36)の内周壁面から離間した位置を前側に延在するように設けられていることを要旨とする。
この構成によれば、球通路内の遊技球を第１案内部によって排出路までスムーズに案内して排出することができ、球詰りを抑制し得る。
【０００９】
本願には、次のような技術的思想が含まれている。
前記作動手段(68)は、前記本体(36)における左右の側壁間に回動自在に支持された作動軸(72)と、該作動軸(72)の軸方向一端部に設けられた前記連繋部(72a)と、前記本体(36)における前記作動軸(72)の他端部が支持される側壁側に配設されて該作動軸(72)に連繋された駆動手段(69)とを備え、該駆動手段(69)の駆動により前記作動軸(72)を介して連繋部(72a)を作動することで前記開閉部材(59)を開閉作動するよう構成されたことを要旨とする。
この構成によれば、収容部と駆動手段とを左右に振り分けて設けることで、本体に対してスペース効率良く収容部と駆動手段とを設けることができる。
【発明の効果】
【００１０】
本発明に係る遊技機によれば、入賞装置での球詰りを抑制すると共にスペース効率を向上し得る。
【図面の簡単な説明】
【００１１】
【図１】本発明の実施例に係るパチンコ機を示す正面図である。
【図２】実施例に係る遊技盤を示す概略正面図である。
【図３】実施例に係る始動入賞装置を、始動用開閉部材を閉成状態で示す概略斜視図である。
【図４】実施例に係る始動入賞装置を、始動用開閉部材を開放状態で示す要部概略斜視図である。
【図５】実施例に係る始動入賞装置を分解して前側から見た概略斜視図である。
【図６】実施例に係る始動入賞装置を分解して後側から見た概略斜視図である。
【図７】実施例に係る始動入賞装置を、始動用開閉部材を閉成状態で示す縦断側面図である。
【図８】実施例に係る始動入賞装置を、始動用開閉部材を開放状態で示す縦断側面図である。
【図９】実施例に係る始動入賞装置の縦断正面図である。
【図１０】実施例に係る始動入賞装置を、始動用開閉部材を開放状態で示す横断平面図である。
【図１１】実施例に係る始動入賞装置を、筒状部材の配設位置で横断して示す底面図である。
【発明を実施するための形態】
【００１２】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１３】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられて、該遊技盤２０の裏側に、複数種類の図柄を変動表示可能な表示装置(演出手段)１７が着脱可能に配設されている。また、前記中枠１２の前面側には、前記遊技盤２０を透視保護するガラス板や透明な合成樹脂材により形成された透視保護板１３ｂで前後に開口する窓部１３ａを覆うよう構成された前枠１３が開閉可能に組み付けられると共に、該前枠１３の下方にパチンコ球Ｐを貯留する下球受け皿１５が開閉可能に組み付けられる。なお、実施例では、前記前枠１３の下部位置に、パチンコ球Ｐを貯留する上球受け皿１４が一体的に組み付けられており、前枠１３の開閉に合わせて上球受け皿１４も一体的に開閉するよう構成される。なお、実施例では、前記表示装置１７としては、各種図柄を表示可能な液晶パネルを収容ケースに収容した液晶表示装置が採用されるが、これに限られるものではなく、ドラム式の表示装置やドットマトリックス式の表示装置等の各種図柄を停止および変動表示可能な従来公知の各種の表示装置を採用し得る。
【００１４】
図１に示す如く、前記前枠１３には、窓部１３ａを囲繞するようランプ装置(発光手段)１８が配設されると共に、前枠１３の上部位置に、音声や効果音を出力可能なスピーカ(音出力手段)１９が配設されている。そして、ランプ装置１８に設けられたＬＥＤ等の発光体(図示せず)を点灯・点滅したり、前記スピーカ１９から適宜の音声を出力することで、前記表示装置１７で行われる各種の表示演出(図柄変動演出)に合わせて光による演出や音による演出を行い得るよう構成されている。すなわち、前記ランプ装置１８やスピーカ１９は、表示装置１７と同様に演出手段としての機能を有している。また、前記上球受け皿１４は、前記前枠１３と別体に形成して中枠１２に対して開閉可能に組み付けるようにしてもよい。
【００１５】
また、前記前枠１３の右下方位置には、前記中枠１２に配設された打球発射装置(図示せず)を作動する変更操作手段としての操作ハンドル１６が設けられている。前記操作ハンドル１６は、左回転方向に付勢された操作レバー１６ａを備えており、該操作レバー１６ａを右回転するよう遊技者が回動操作することで前記打球発射装置が作動されて、前記上球受け皿１４に貯留されたパチンコ球Ｐが前記遊技盤２０に向けて発射されるようになっている。ここで、前記操作レバー１６ａの回動量に応じて前記打球発射装置によるパチンコ球Ｐの打出し力(打球力)が強弱変化するよう構成されており、遊技者が操作レバー１６ａの回動量を操作することで、前記遊技盤２０に形成された第１球流下領域２３ａ(後述)をパチンコ球Ｐが流下する所謂「左打ち」(第１打出し状態)と、該遊技盤２０に形成された第２球流下領域２３ｂ(後述)をパチンコ球Ｐが流下する所謂「右打ち(ゴム打ち)」(第１打出し状態よりも強い打出し力の第２打出し状態)とを打ち分け得るようになっている。
【００１６】
(遊技盤２０について)
実施例の前記遊技盤２０は、アクリルやポリカーボネート等の光透過性の合成樹脂材から所定板厚の略矩形状に形成された平板状の透明板(遊技領域形成部材)であって、該遊技盤２０の裏側に前記表示装置１７が着脱自在に組み付けられている。遊技盤２０の前側には、図２に示す如く、前面(盤面)に配設された略円形状の案内レール２１によりパチンコ球Ｐが流下可能(移動可能)な遊技領域２３が画成されて、前記打球発射装置から発射されたパチンコ球Ｐが当該遊技領域２３内に打ち出されることで遊技が行われるようになっている。また、遊技盤２０には、該遊技盤２０との間に収容空間を画成する設置部材(図示せず)が配設されており、収容空間には、発光により演出を行う発光演出装置や、可動体の動作により演出を行う可動演出装置等の各種装置が設置されている。そして、発光演出装置や可動演出装置は、前記表示装置１７で行われる各種の表示演出(図柄変動演出)に合わせて発光演出や可動体の動作演出を行い得るよう構成されており、該発光演出装置および可動演出装置についても、表示装置１７と同様に演出手段としての機能を有している。なお、前記表示装置１７は、設置部材の裏側に取り付けられて、後述するように設置部材に設けた開口部(可視部)および枠状装飾体２４(後述)の開口部２４ａを介して遊技盤２０の前側から視認可能に臨むよう構成される。なお、遊技盤２０は、ベニヤ材や合成樹脂材等の非光透過性の板部材の表面に装飾シール等を貼付したものであってもよい。
【００１７】
前記遊技盤２０には、前後に貫通する装着口(図示せず)が前記遊技領域２３内に複数開設されて、各装着口に対して各種の遊技盤設置部品(具体的には後述する枠状装飾体２４、始動入賞装置２９、特別入賞装置３０、ゲート部３１等)が前側から取り付けられると共に、遊技領域２３の最下部位置には、該遊技領域２３に打ち出されたパチンコ球Ｐを排出するアウト口２８が開設されており、遊技領域２３に打ち出されてアウト口２８に入球したパチンコ球Ｐが機外に排出されるよう構成される。また、前記遊技盤２０には、前記遊技領域２３内に多数の遊技釘３２が設けられると共に、後述する枠状装飾体２４の左側方に、遊技領域２３(第１球流下領域２３ａ)を流下するパチンコ球Ｐの接触に伴って回転する回転案内部材３３が回転自在に支持されており、遊技釘３２や回転案内部材３３との接触によりパチンコ球Ｐの流下方向が不規則に変化するよう構成されている。前記回転案内部材３３は、所謂「風車」とも称される部材であって、該回転案内部材３３の回転に伴ってパチンコ球Ｐを弾くように左右方向へ放出する部材である。なお、前記装着口の形成数は、遊技盤２０に対して取り付けられる各種遊技構成部品の個数や配設位置等により必要に応じて適宜決定される。
【００１８】
実施例の前記遊技盤２０には、図２に示す如く、前記案内レール２１で囲まれた遊技領域２３の略中央の大部分が開口する装着口に、前後に開口する開口部２４ａが形成された枠状装飾体２４が取り付けられ、該枠状装飾体２４の開口部２４ａを介して表示装置１７の表示部１７ａが遊技盤２０の前面側に臨むよう構成されている。前記設置部材は、前記遊技盤２０の外郭形状より僅かに小さな形状に形成された略矩形状の背面板と、該背面板の外周縁部から前方に突出する画壁部とから前方に開口した箱状に形成されて、該画壁部の開口前端部を遊技盤２０の裏面に当接させた状態で、当該遊技盤２０と設置部材とがネジにより固定される。また、前記設置部材の背面板には、前記枠状装飾体２４の開口部２４ａと前後に整列する位置に、略矩形状の開口部が前後に開口するよう開設されると共に、該背面板の裏側に前記表示装置１７が着脱自在に取り付けられて、該開口部を介して表示装置１７の表示部１７ａが遊技盤２０の前側に臨むようになっている。
【００１９】
(枠状装飾体２４について)
前記遊技盤２０に配設される前記枠状装飾体２４は、図２に示す如く、前記遊技盤２０に開設された前記装着口の内側に沿って延在する環状に形成された枠状基部(図示せず)と、該枠状基部に設けられて前記遊技盤２０の前面より前方に突出し、前記遊技領域２３と表示装置１７の表示部１７ａを区切って該遊技領域２３の内周を画成する庇状部２４ｂと、該庇状部２４ｂの後縁から外方に延出する薄板状の台板部２４ｃとを備える。そして、前記枠状基部を装着口に挿入すると共に台板部２４ｃを遊技盤２０の前面に当接した状態で、該台板部２４ｃをネジ等の固定手段で遊技盤２０に固定することで、枠状装飾体２４が遊技盤２０に取り付けられる。ここで、前記庇状部２４ｂは、図２に示す如く、前記枠状装飾体２４(枠状基部)の左側縁の略中間位置から上縁および右下縁に亘って連続して延在するように設けられており、開口部２４ａ側、すなわち表示装置１７における表示部１７ａの前面側を横切ってパチンコ球Ｐが流下(落下)するのを規制している。
【００２０】
前記枠状装飾体２４には、図２に示す如く、前記開口部２４ａの下側に、ステージ２６が設けられると共に、開口部２４ａの左側に、遊技領域２３(第１球流下領域２３ａ)に開口して該遊技領域２３を流下するパチンコ球Ｐを取り込んでステージ２６に案内する球導入部２７が設けられ、該球導入部２７からステージ２６に通出されたパチンコ球Ｐは、ステージ２６上を左右に転動した後に、後述する始動入賞装置２９が配設されている遊技領域２３に排出される。またステージ２６の後端縁には、左右方向の全長に亘って上側に向けて所定高さで立上がる透明壁２５が設けられ、ステージ２６上を転動するパチンコ球Ｐが表示装置１７の表示部１７ａ側に移動するのを該透明壁２５で防止している。
【００２１】
前記遊技盤２０に画成された遊技領域２３は、前記枠状装飾体２４における庇状部２４ｂの左側方をパチンコ球Ｐが流下する第１球流下領域２３ａと、該枠状装飾体２４における庇状部２４ｂの上方から右側方をパチンコ球Ｐが流下する第２球流下領域２３ｂとに区画されている。これにより、操作ハンドル１６の操作レバー１６ａを回動操作して打球力を調節することで、遊技領域２３に打ち出されたパチンコ球Ｐが第１球流下領域２３ａを流下する遊技形態(左打ち)および当該パチンコ球Ｐが第２球流下領域２３ｂを流下する遊技形態(右打ち)の何れかを遊技者が任意に選択し得るようになっている。
【００２２】
前記遊技盤２０には、枠状装飾体２４の下方に開設された装着口に、遊技領域２３(第１球流下領域２３ａ,第２球流下領域２３ｂ)を流下するパチンコ球Ｐが入賞可能な始動入賞口３７,３８を有する始動入賞装置(入賞装置)２９が取り付けられている。また、始動入賞装置２９の右方に開設された装着口に、遊技領域２３(第２球流下領域２３ｂ)を流下するパチンコ球Ｐが入賞可能な特別入賞口(入賞口)３０ａを有する特別入賞装置(入賞装置)３０が取り付けられている。また、枠状装飾体２４の右方に開設された装着口に、遊技領域２３(第２球流下領域２３ｂを流下するパチンコ球Ｐが通過可能なゲート部３１が取り付けられている。更に、始動入賞装置２９の左方および右方に開設された装着口に、遊技領域２３(第１球流下領域２３ａ)を流下するパチンコ球Ｐが入賞可能な普通入賞口３４ａを有する普通入賞部３４が取り付けられている。実施例では、始動入賞装置２９の左方に３つの普通入賞部３４が取り付けられると共に、始動入賞装置２９の右方に１つの普通入賞部３４が取り付けられている。そして、図２に示すように始動入賞装置２９、特別入賞装置３０、ゲート部３１を配置した盤面構成では、前記第１球流下領域２３ａをパチンコ球Ｐが流下する場合(左打ちした場合)に、パチンコ球Ｐが第２球流下領域２３ｂを流下する場合に較べて始動入賞装置２９の始動入賞口３７,３８にパチンコ球Ｐが入球(入賞)する可能性が高くなるよう構成されると共に、該第２球流下領域２３ｂをパチンコ球Ｐが流下する場合(右打ちの場合)に、パチンコ球Ｐが第１球流下領域２３ａを流下する場合に較べてゲート部３１および特別入賞装置３０の特別入賞口３０ａへパチンコ球Ｐが入球(入賞)する可能性が高くなる。
【００２３】
(始動入賞装置２９について)
前記枠状装飾体２４の下方位置に取り付けられた前記始動入賞装置２９は、前記第１球流下領域２３ａと第２球流下領域２３ｂとが合流する合流部に位置して、該始動入賞装置２９に設けられた始動入賞口３７,３８には両球流下領域２３ａ,２３ｂを流下するパチンコ球Ｐが入賞可能に構成されている。なお、始動入賞装置２９の具体的構成については後述し、ここでは始動入賞装置２９の遊技制御に関連する概略構成について説明する。
【００２４】
前記始動入賞装置２９は、始動入賞口３７,３８に入賞したパチンコ球Ｐを検出する入賞検出手段としての始動入賞検出センサ６７が設けられている。前記始動入賞検出センサ６７は、パチンコ機裏側に配設された図示しない制御手段に配線接続されている。そして、始動入賞検出センサ６７からの検出信号が制御手段に入力されることを賞球の払出条件として、該制御手段が賞球の払い出しを決定するようになっている。また、始動入賞検出センサ６７によるパチンコ球Ｐの検出(すなわち始動入賞口３７,３８へのパチンコ球Ｐの入賞)を遊技の開始条件(遊技開始条件)として、前記制御手段が各種入賞情報(当り判定用乱数等の遊技情報)を取得して、この取得した入賞情報に基づいて大当り抽選(大当り判定)が行われるよう構成されている。そして、大当り抽選の結果に基づいて前記表示装置１７において図柄変動演出が実行されるようになっている。また、前記表示装置１７での図柄変動演出の結果、該表示装置１７に所定の大当り表示(予め定められた特定表示)となる組み合わせ(例えば同一飾図の３つ揃い等)で図柄が確定停止表示されることで、遊技者に有利な大当り遊技(当り遊技)が付与され、大当り遊技の発生に伴って特別入賞装置３０の特別入賞口３０ａを所定の開放条件で開放する大当り遊技が行われて、遊技者が賞球を獲得し得る機会が与えられるよう構成されている。
【００２５】
(特別入賞装置３０について)
前記特別入賞装置(入賞装置)３０は、遊技領域２３(第２球流下領域２３ｂ)に開口する特別入賞口(入賞口)３０ａを開閉自在に閉成する特別用開閉部材(開閉部材)３０ｂを備えており、駆動手段としての特別入賞ソレノイド(図示せず)の駆動に伴って特別用開閉部材３０ｂが閉鎖する閉鎖位置と開放する開放位置に変位するよう構成されている。また、前記特別入賞装置３０には、前記特別入賞口３０ａに入賞したパチンコ球Ｐを検出する特別入賞検出手段としての特別入賞検出センサ(図示せず)が設けられている。特別入賞検出センサは、前記制御手段に配線接続されており、特別入賞検出センサからの検出信号が制御手段に入力されることを賞球の払出条件として、該制御手段が賞球の払い出しを決定するようになっている。ここで、前記特別入賞ソレノイドは、前記始動入賞口３７,３８へのパチンコ球Ｐの入賞を契機として特別入賞口３０ａを開閉する大当り遊技が付与される場合(大当り判定の結果が肯定の場合)に、前記表示装置１７による図柄変動演出の終了後に制御手段によって駆動制御される。
【００２６】
(ゲート部３１について)
前記ゲート部３１には、該ゲート部３１をパチンコ球Ｐが通過したことを検出するゲートセンサ(図示せず)が配設される。ゲートセンサは、前記制御手段に配線接続されており、該ゲートセンサから制御手段への球検出信号の入力、すなわちゲートセンサのパチンコ球Ｐの検出(ゲート部３１のパチンコ球Ｐの通過)に伴って各種通過検出情報(乱数等の遊技情報)が取得され、この取得した遊技情報に基づいて普図当り抽選(普図当り判定)が行われるよう構成されている。そして、この普図当り抽選の結果に応じて前記始動入賞装置２９に設けられた後述する始動入賞ソレノイド６９が駆動制御されて始動用開閉部材５９が開閉動作するようになっている。
【００２７】
(普通入賞部３４について)
前記普通入賞部３４は、パチンコ球Ｐが入賞可能な普通入賞口３４ａが上方に常時開口するように前記遊技盤２０に設けられており、遊技領域２３を流下するパチンコ球Ｐが一定の確率で普通入賞口３４ａに入賞し得るようになっている。普通入賞部３４は、普通入賞口３４ａに入賞したパチンコ球Ｐを検出する入賞検出手段としての普通入賞検出センサ(図示せず)が設けられている。前記普通入賞検出センサは、前記制御手段に配線接続されており、普通入賞検出センサからの検出信号が制御手段に入力されることを賞球の払出条件として、該制御手段が賞球の払い出しを決定するようになっている。
【００２８】
ここで、実施例のパチンコ機１０では、遊技が行われる遊技状態として３つの状態が設定されている。すなわち、パチンコ機１０において通常行われる通常状態と、該通常状態に較べて大当りの発生確率が高く、かつ後述する第２始動入賞口３８への入賞確率が高く設定された確変状態と、通常状態に較べて大当りの発生確率が同等で、かつ普図当り抽選での普図当りとなる確率が高く設定された変短状態が設定されている。そして、前記始動入賞装置２９に設けられた始動入賞口３７,３８へパチンコ球Ｐが入賞した際に、前記遊技状態を変更するか否かが前記制御手段で決定される。
【００２９】
前記特別入賞装置３０およびゲート部３１の夫々を、前記第２球流下領域２３ｂに配置した実施例のパチンコ機１０では、パチンコ球Ｐが第１球流下領域２３ａを流下する場合に較べて、前記第２球流下領域２３ｂを流下する場合の方が、特別入賞装置３０およびゲート部３１に入球し易くなっている。従って、実施例のパチンコ機１０は、大当り遊技が付与された状態、遊技状態が確変状態または変短状態となった場合(特定条件が成立した場合)に、パチンコ球Ｐを第２球流下領域２３ｂへ打ち出す「右打ち(第２打出し状態)」を実施し、特定条件が不成立の場合(すなわち、遊技状態が通常状態の場合)には、パチンコ球Ｐを第１球流下領域２３ａへ打ち出す「左打ち(第１打出し状態)」を実施することで、所定の遊技が行われるよう構成されている。このように、遊技者が遊技状態(特定条件の成立・不成立)に応じて前記操作ハンドル１６を操作してパチンコ球Ｐの打ち出し位置を変更するよう構成することで、遊技者に能動的な遊技参加を促し、遊技の興趣を高めるようになっている。
【００３０】
(始動入賞装置２９の具体的構成について)
前記始動入賞装置２９は、遊技盤２０に取り付けられる本体３６に、前記遊技領域２３に開口して該遊技領域２３からパチンコ球Ｐが入賞可能な始動入賞口(入賞口)３７,３８が設けられている。実施例の始動入賞装置２９では、本体３６に２つの始動入賞口３７,３８が上下の関係で設けられており、上側の始動入賞口３７を第１始動入賞口(第１入賞口)３７と指称し、下側の始動入賞口３８を第２始動入賞口(第２入賞口)３８と指称して区別する場合がある。
【００３１】
前記本体３６は、図３,図５〜図７等に示す如く、前記遊技盤２０に取り付けられる前部材３９と、該前部材３９の後側に着脱自在に取り付けられる後部材４０とを備える。前部材３９は、板状の取着部４１と、該取着部４１の裏面から後側に延在する通路形成部４２とを備え、該通路形成部４２の後側に後部材４０を取り付けた状態で、該後部材４０および通路形成部４２によって前記各始動入賞口３７,３８に入賞したパチンコ球Ｐを流下させる後述する球通路５６,６２が画成される。そして、前部材３９の通路形成部４２および後部材４０を遊技盤２０の装着口に前側から挿入すると共に取着部４１を遊技盤２０の前面に当接した状態で、該取着部４１をネジ等の固定手段で遊技盤２０に固定することで、始動入賞装置２９が遊技盤２０に取り付けられる。前記前部材３９および後部材４０は、全体が光透過性に構成されている。すなわち、始動入賞装置２９の本体３６は、全体が光透過性に構成されている。なお、前部材３９は、有色の光透過性に構成されるのに対し、後部材４０は透明に構成されており、前部材３９に対して後部材４０の光透過率が高く設定されている。
【００３２】
前記前部材３９の通路形成部４２は、図６に示す如く、前記取着部４１から後側に延在する上下左右の壁(周壁)４３,４４,４５,４６によって内部空間を後方に開口するように形成されると共に、前記後部材４０は、図５に示す如く、本体３６の後面を構成する後壁４７から前側に延在する上下左右の壁(周壁)４８,４９,５０,５１によって内部空間を前方に開口するように形成されており、通路形成部４２の後側に後部材４０を各対応する壁４３,４４,４５,４６,４８,４９,５０,５１同士を対向当接するように取り付けることで、内部に後述する第２球通路６２および配線用空間５５が上下に区画された状態で画成されるようになっている。すなわち、前部材３９および後部材４０の各４３,４４,４５,４６,４８,４９,５０,５１が、本体３６において内部に通路６２や空間５５を画成する周壁となっている。前部材３９の上下左右の壁４３,４４,４５,４６について、前上壁４３、前底壁４４、前左側壁４５、前右側壁４６と指称すると共に、後部材４０の上下左右の壁４８,４９,５０,５１について、後上壁４８、後底壁４９、後左側壁５０、後右側壁５１と指称する場合がある。なお、後部材４０における後右側壁５１(一方の側壁)は、上下方向の途中において左右方向に屈曲されて、該屈曲部より上側の上側壁部５１ａより下側の下側壁部５１ｂが所定長さだけ左側に変位すると共に(図５参照)、該下側壁部５１ｂに対応するように前記通路形成部４２には内側壁４２ａが取着部４１から後側に延在するように設けられており、該内側壁４２ａと下側壁部５１ｂとによって第２球通路６２の右側部が画成されるようになっている(図１０参照)。
【００３３】
(第１始動入賞口３７の関連構成)
前記前部材３９における取着部４１の上部前面に、後方に開口する箱状の入賞口画成部材５２が配設されると共に、該入賞口画成部材５２の上部中央には下側に凹む凹部５２ａが形成されて、前記遊技領域２３を流下するパチンコ球Ｐが凹部５２ａに受け入れ可能に構成されている。また、取着部４１には、図７,図８に示す如く、入賞口画成部材５２における凹部５２ａの後開口に整合する位置に切欠部４１ａが形成されており、凹部５２ａに受け入れたパチンコ球Ｐが切欠部４１ａを介して取着部４１の裏側に通出可能に構成されている。すなわち、実施例の始動入賞装置２９は、取着部４１の切欠部４１ａと入賞口画成部材５２の凹部５２ａとによって、遊技領域２３に臨んで上方に開口する第１始動入賞口３７が形成されており、該第１始動入賞口３７に入賞したパチンコ球Ｐが、前記本体３６に形成された後述する第１球通路５６を流下するよう構成される。また、第１始動入賞口３７は、前記遊技領域２３内で開口する常時開放タイプの入賞口であって、該第１始動入賞口３７は、遊技領域２３を流下するパチンコ球Ｐが常時一定の確率で入賞可能に構成されている。
【００３４】
前記入賞口画成部材５２を構成する前壁５２ｂには、図５,図７に示す如く、前後方向に貫通する複数の通孔５２ｃが形成されると共に、該前壁５２ｂの前面に、通孔５２ｃを覆う光透過性の装飾部品５３が配設されている。また、入賞口画成部材５２の内部に第１発光基板５４が収容配置されると共に、該第１発光基板５４の前面には、各通孔５２ｃと対応する位置の夫々に発光手段としての第１ＬＥＤ５４ａが実装されている。すなわち、第１ＬＥＤ５４ａを発光して装飾部品５３を裏側から照明することで該装飾部品５３が明輝し、第１始動入賞口３７を目立たせる発光演出を実行可能になっている。
【００３５】
前記前部材３９の取着部４１には、入賞口画成部材５２の後開口に臨む位置にコネクタ用通孔４１ｂが前後方向に貫通するように形成されており、該コネクタ用通孔４１ｂを介して第１発光基板５４の裏面に設けられたコネクタ５４ｂが取着部４１の裏側に突出するよう構成される(図７,図８参照)。また、前記後部材４０の後壁４７には、図７に示す如く、前部材３９のコネクタ用通孔４１ｂと対応する後方位置において前後方向に貫通する配線用通孔４７ａが形成されている。また、前部材３９の通路形成部４２には、コネクタ用通孔４１ｂの下端縁から後側に延出する前配線用画壁４２ｂが形成されると共に、後部材４０の後壁４７には、該前配線用画壁４２ｂと前後方向に整列する位置に前側に向けて延出するように後配線用画壁４７ｂが形成されており、前配線用画壁４２ｂの後端と後配線用画壁４７ｂの前端とが当接している。すなわち、本体３６の内部には、前記コネクタ５４ｂに接続する配線(図示せず)を引き回すための配線用空間５５が画成されており、コネクタ５４ｂに接続する配線は、配線用空間５５を引き回された後に後壁４７の配線用通孔４７ａから本体外部に引き出されるよう構成される。前記配線用空間５５は、後述する第１球通路５６および第２球通路６２とは区画されており、該配線用空間５５を引き回される配線が各球通路５６,６２に突出する等してパチンコ球Ｐの流下の妨げとならないようになっている。
【００３６】
前記本体３６には前記第１始動入賞口３７に入賞したパチンコ球Ｐを後側に流下させる第１球通路(球通路)５６が形成されている。この第１球通路５６は、図３,図７,図８に示す如く、上方が開放した樋状に形成された部位であって、第１球通路５６は、取着部４１の後面から所定長さだけ前後方向に直線的に延在した後に左側に向けて折曲し、該第１球通路５６は本体３６の左側端部で開口するよう形成されている。すなわち、第１始動入賞口３７に入賞したパチンコ球Ｐは、第１球通路５６を前側から後側に流下して終端部において本体３６の左側方へ排出される。そして、第１球通路５６から排出されたパチンコ球Ｐが、図示しない第１始動入賞検出センサで検出されるようになっている。実施例では、前部材３９における取着部４１から後側に延出する前記通路形成部４２の前上壁４３の上側に第１球通路５６の直線的に延在する前半部分が形成されると共に、前記後部材４０の後上壁４８の上側に第１球通路５６の左側方に開口するまでの後半部が形成されている。
【００３７】
(第２始動入賞口３８の関連構成)
前記第２始動入賞口３８は、前記取着部４１における前記入賞口画成部材５２の下方位置において、該取着部４１の幅方向の中央で前後方向に貫通するように形成されている。また、取着部４１の前面には、図３,図４に示す如く、第２始動入賞口３８を挟む左右位置にガイド部５７が夫々前方に突出して設けられている。なお、両ガイド部５７,５７は、前端部において板状の連結部５８によって連結されている。各ガイド部５７は、後方に開口する角筒状に形成された光透過性の部材であって、後述する第３ＬＥＤ７６ｂからの光によって明輝されて、第２始動入賞口３８の周囲を発光演出によって目立たせ得るよう構成されている。また、ガイド部５７の内面には光拡散処理が施されており、ガイド部５７の全体を第３ＬＥＤ７６ｂからの光によって明輝させ得るようになっている。なお、実施例の始動入賞装置２９では、第２始動入賞口３８の左右方向の開口寸法をパチンコ球Ｐの直径の２倍以上に設定して、後述する始動用開閉部材５９の開放状態において遊技者に第２始動入賞口３８にパチンコ球Ｐが入り易いように見せ得るように構成されている。
【００３８】
前記一対のガイド部５７,５７は、第２始動入賞口３８を挟んで左右対称な形状に形成されている。各ガイド部５７の上面は、第２始動入賞口３８側へ下方傾斜するように形成されて、各ガイド部５７の上面で遊技領域２３(第１球流下領域２３ａ、第２球流下領域２３ｂ)を流下するパチンコ球Ｐを第２始動入賞口３８へ向けて案内し得るようになっている。ガイド部５７における上面の形状を更に詳しく述べれば、該上面は、他方のガイド部５７に向かうにつれて下方傾斜すると共に、前側から後側に向けて下方傾斜するように形成されている。すなわち、左側のガイド部５７の上面に乗ったパチンコ球Ｐは、右側へ移動しつつ後側へ移動することで、第２始動入賞口３８へ向けて案内され、右側のガイド部５７の上面に乗ったパチンコ球Ｐは、左側へ移動しつつ後側へ移動することで、第２始動入賞口３８へ向けて案内される。
【００３９】
前記各ガイド部５７の上面と前記入賞口画成部材５２の下面との離間間隔は、パチンコ球Ｐが通過可能な寸法に設定されているが、パチンコ球Ｐの直径の２倍よりは小さな寸法に設定されている。すなわち、ガイド部５７と入賞口画成部材５２との間をパチンコ球Ｐが無理なく通過できると共に２個以上のパチンコ球Ｐが上下に重なった状態では通過できないようにして、ガイド部５７と入賞口画成部材５２との間でパチンコ球Ｐが詰まってしまったり、一度に複数のパチンコ球Ｐが第２始動入賞口３８に案内されることで該第２始動入賞口３８での球詰まりが発生するのを防止し得るようになっている。また、一対のガイド部５７,５７を連結する前記連結部５８の後面と前記取着部４１の前面との離間間隔は、パチンコ球Ｐが通過可能な寸法に設定されており、後述する始動用開閉部材５９の閉成状態(図３,図７)で各ガイド部５７,５７で案内されるパチンコ球Ｐは両ガイド部５７,５７の間を通過するよう構成される。
【００４０】
(始動用開閉部材５９について)
前記本体３６(具体的には前部材３９)には、前記第２始動入賞口３８を開閉自在に閉成する始動用開閉部材(開閉部材)５９が配設されている。この始動用開閉部材５９は、図３に示す如く、第２始動入賞口３８の開口形状に略合致する矩形形状に形成され、左右両側面から突出するように設けた支軸６０,６０(図５,図６参照)を介して本体３６における前部材３９に傾動可能に支持されている。なお、始動用開閉部材５９については、特に断りのない限り、第２始動入賞口３８を閉成する閉成状態(閉成姿勢)を基準として上下方向および前後方向を指称するものとする。前記支軸６０,６０は、始動用開閉部材５９の下端部に設けられて、該支軸６０,６０を支点として始動用開閉部材５９は上端側が前後方向に傾動するよう構成される。そして、始動用開閉部材５９は、第２始動入賞口３８へのパチンコ球Ｐの入賞が可能または容易となる開放状態(図４,図８参照)と、第２始動入賞口３８へのパチンコ球Ｐの入賞が不能または困難になる閉成状態(図３,図７参照)との間で後述する作動手段６８により開閉作動されるよう構成される。具体的には、始動用開閉部材５９は、開放状態では第２始動入賞口３８に整合して該第２始動入賞口３８を閉成する略垂直姿勢(図７)となり、開放状態では第２始動入賞口３８から上端部が前方へ離間して該第２始動入賞口３８を開放した前傾姿勢(図８)となる。すなわち、第２始動入賞口３８は、前記普図当り抽選(普図当り判定)の結果に応じた開放条件および閉成条件に従って始動用開閉部材５９により開閉される開閉型の入賞口とされている。
【００４１】
前記始動用開閉部材５９は、閉成状態(略垂直姿勢)において、上端部が第２始動入賞口３８の上部開口縁を画成する取着部４１の前面に凹設された段部４１ｃに収容された状態で当接して(図７参照)、第２始動入賞口３８の閉成状態が保持される。そして、始動用開閉部材５９の前面は、閉成状態(略垂直姿勢)において取着部４１の前面と略面一また僅かに後側に位置するよう設定されて、始動用開閉部材５９の閉成状態において前記ガイド部５７で案内されたパチンコ球Ｐが該始動用開閉部材５９の側面に衝突しないよう構成される。また、始動用開閉部材５９は、光透過性に構成されて、後述する第２ＬＥＤ７６ａからの光によって明輝して閉成状態において第２始動入賞口３８の前側(第２始動入賞口３８の開口内側)を発光演出により目立たせ得るよう構成される。
【００４２】
前記始動用開閉部材５９の裏面下端部の左右両端に、後側に突出する案内部５９ａが形成されている。この案内部５９ａは、図４および図１０に示す如く、始動用開閉部材５９の開放状態において上側に突出し、該開放状態の始動用開閉部材５９の上面(裏面)を後側に向けて移動するパチンコ球Ｐを、該案内部５９ａによって後述する第２球通路６２の幅方向の中央に寄せるようになっている。また、始動用開閉部材５９における左右方向の一方の側部に、後側に向けて突出する作動片６１が設けられると共に、該作動片６１の突出端部には外側方に延出する係合部６１ａが設けられている(図６参照)。実施例の始動入賞装置２９では、図１０に示す如く、始動用開閉部材５９の左側部に作動片６１が設けられている。この作動片６１は、始動用開閉部材５９の開放状態において、第２始動入賞口３８における左開口縁より内側(左右方向の一方の側)に位置し、該第２始動入賞口３８に入賞するパチンコ球Ｐが接触可能に構成されている。すなわち、左右方向の開口寸法をパチンコ球Ｐの直径の２倍以上に設定した第２始動入賞口３８に対し、始動用開閉部材５９の開放状態において作動片６１を第２始動入賞口３８における左開口縁より内側に位置させることで、２つのパチンコ球Ｐが左右に並んだ状態で第２始動入賞口３８に入賞するのを規制するようになっている。また、作動片６１には、始動用開閉部材５９の開放状態での前部に、当接したパチンコ球Ｐを後側に向けて誘導する傾斜面６１ｂが形成されている。具体的には、作動片６１の傾斜面６１ｂは、始動用開閉部材５９の開放状態において前側から後側に向かうにつれて右方向に変位するよう形成されて、該傾斜面６１ｂに当接したパチンコ球Ｐを斜め右後方(第２球通路６２の幅方向の中央側)に向けて誘導し得るようになっている。
【００４３】
(第２球通路６２について)
前記本体３６には、前記第２始動入賞口３８に入賞したパチンコ球Ｐが後側に向けて流下する第２球通路(球通路)６２が、前後方向に延在するように設けられている。第２球通路６２は、前記前部材３９における通路形成部４２と、前記後部材４０とに亘って形成されている。前部材３９の通路形成部４２には、前記前配線用画壁４２ｂから下方に離間した位置を後側に向けて延出する前仕切壁４２ｃが設けられると共に、後部材４０の後壁４７には、前仕切壁４２ｃと前後方向に整列する位置に前側に向けて延出するように後仕切壁４７ｃが形成されており、前仕切壁４２ｃの後端と後仕切壁４７ｃの前端とが当接している(図７,図８参照)。そして、両仕切壁４２ｃ,４７ｃの下側において、前部材３９の前左側壁４５、内側壁４２ａ、前底壁４４および後部材４０の後左側壁５０、後右側壁５１における下側壁部５１ｂ、後底壁４９および後壁４７とによって画成される入賞空間６３内に、後述する案内リブ７３によって第２球通路６２が画成される(図９参照)。すなわち、仕切壁４２ｃ,４７ｃが、第２球通路６２の上面を画成している。
【００４４】
前記通路形成部４２における第２球通路６２を画成する前底壁(本体３６の底壁)４４には、前側から後側に向けて上面が下方傾斜する下リブ６４,６４が設けられており、該下リブ６４,６４によってパチンコ球Ｐが後側(通路奥側)に向けて速やかに流下するよう構成される。実施例では、図９,図１０に示す如く、パチンコ球Ｐの直径より小さい離間間隔で２つの下リブ６４,６４が平行に形成されており、両下リブ６４,６４によってパチンコ球Ｐを２点で支持した状態で該パチンコ球Ｐを安定して流下させ得るようになっている。
【００４５】
前記本体３６には、前記第２球通路６２の後端部で開口し、該第２球通路６２を後側に流下するパチンコ球Ｐを本体外部に排出する排出路６５が形成されている。具体的には、図７,図８に示す如く、前記後部材４０における第２球通路６２を画成する後底壁(本体３６の底壁)４９に排出路６５の入口となる落下口６５ａが開設されており、第２球通路６２を流下するパチンコ球Ｐは、該落下口６５ａから排出路６５に通入して本体外部(下部)に排出されるよう構成される。また、第２球通路６２を画成する前記後仕切壁４７ｃおよび後壁４７の内面(第２球通路６２側の面)に、前記落下口６５ａの上方に位置する上リブ(落下案内用の案内リブ)６６が設けられている。この上リブ６６における内面は、前側から後側に向かうにつれて下側へ変位する弧状に形成されており、該上リブ６６の内面に接触したパチンコ球Ｐを落下口６５ａに向けて案内し得るよう構成される。すなわち、上リブ６６は、第２球通路６２を画成する後壁４７から該第２球通路６２に突出して上下方向に延在して、前側から流下してくるパチンコ球Ｐの流下方向を下向きに変更することで落下口６５ａに向けて誘導するようになっている。なお、実施例では、上リブ６６は後部材４０に一体的に形成されており、該上リブ６６も透明(光透過性)に構成されている。また、上リブ６６は、前記一対の下リブ６４,６４の間に対応する位置に臨んでおり(図９参照)、両下リブ６４,６４で案内されるパチンコ球Ｐの左右方向の略中央を上リブ６６で落下口６５ａに向けて案内し得るようになっている。前記本体３６には、第２球通路６２の形成部位より下側に、前記落下口６５ａに検出口６７ａを整列された状態で第２始動入賞検出センサ(検出手段)６７が配設されており、落下口６５ａを落下するパチンコ球Ｐが検出口６７ａを通過することで、該第２始動入賞検出センサ６７が検出信号を前記制御手段に出力するようになっている。
【００４６】
(作動手段６８について)
前記始動用開閉部材５９を開閉作動する作動手段６８は、始動入賞ソレノド(駆動手段)６９と、この始動入賞ソレノイド６９および始動用開閉部材５９を連繋する連繋手段７０とから構成される(図５,図６参照)。始動入賞ソレノイド６９は、本体部６９ａから前方に延出するように該本体部６９ａに支持されて前後方向に進退可能なプランジャ６９ｂと、該プランジャ６９ｂを常には前方に向けて付勢するコイルばね(図示せず)とを備えている。始動入賞ソレノイド６９は、通電された励磁状態においてプランジャ６９ｂがコイルばねの付勢に抗して後側へ変位され、これに対し遮電された非励磁状態においてプランジャ６９ｂがコイルばねの付勢によって前側へ変位される。プランジャ６９ｂの先端部は、外方へ円盤状に突出形成され、この先端部が連繋手段７０に連繋されている。前記後部材４０の後部には、右方に偏倚した位置において後方に延出する一対の支持板４７ｄ,４７ｄが上下に離間して設けられており、両支持板４７ｄ,４７ｄの間に前記始動入賞ソレノイド６９の本体部６９ａが位置決め固定されている。すなわち、始動入賞ソレノイド６９は、前記本体３６に対して左右方向の一方に偏倚した位置に配設されている。
【００４７】
前記連繋手段７０は、前記後部材(本体３６)４０に前後方向に移動可能に支持されると共に前記プランジャ６９ｂが連繋される作動部材７１と、後部材(本体３６)４０に左右方向の軸周りに回転可能に支持されると共に作動部材７１に連繋する作動軸７２とを備え、プランジャ６９ｂの進退動に伴って作動部材７１が前後移動することで、作動軸７２が正逆方向に所定角度範囲で回転するよう構成されている。作動軸７２は、前記第２球通路６２の上側において後部材(本体３６)４０の左右の側壁５０,５１(具体的には後左側壁５０と上側壁部５１ａ)間に回動自在に支持されており、該作動軸７２における作動部材７１との連繋部位(他端部)とは反対側の端部(一端部)に、前記始動用開閉部材５９の前記係合部６１ａに係合する連繋部７２ａが設けられている(図９参照)。すなわち、始動入賞ソレノイド６９への通電・遮断によってプランジャ６９ｂを進退動することにより、作動部材７１および作動軸７２を介して連繋部７２ａを作動することで、該連繋部７２ａに係合部６１ａが係合する始動用開閉部材５９が前記閉成状態と開放状態との間で開閉作動するよう構成されている。なお、作動軸７２は、前記第２球通路６２を画成する仕切壁４２ｃ,４７ｃの上側を左右方向に延在するように配設されており、第２球通路６２を流下するパチンコ球Ｐが作動軸７２に接触することがないよう構成されている。
【００４８】
(案内リブ７３,７４について)
前記本体３６には、前記第２球通路６２の内部を前後方向に(第２球通路６２におけるパチンコ球Ｐの流下方向に沿って)延在する案内リブ７３,７４が設けられ、第２球通路６２を流下するパチンコ球Ｐを該案内リブ７３,７４で後側(奥側)に案内し得るよう構成される。実施例の案内リブ７３,７４は、左右方向に離間する第１案内リブ７３および第２案内リブ７４からなり、両案内リブ７３,７４の間をパチンコ球Ｐが流下するようになっている。第２球通路６２の左側に位置する第１案内リブ７３は、後部材４０における前記後壁４７から前側に延在するように設けられている。また、第２球通路６２の右側に位置する第２案内リブ７４は、該後部材４０(本体３６)における後右側壁５１の前記下側壁部５１ｂから内側に突出するように設けられている。すなわち、本体３６に設けられた第１案内リブ７３および第２案内リブ７４は、第２球通路６２に突出して、各案内リブ７３,７４によって第２球通路６２を流下するパチンコ球Ｐの左右方向の変位を規制しつつ後側に向けて案内し得るよう構成される(図９参照)。また、実施例では、両案内リブ７３,７４は前記後部材４０に一体に形成されており、該案内リブ７３,７４も透明(光透過性)に構成されている。
【００４９】
前記両案内リブ７３,７４を具体的に説明すると、第１案内リブ(一方の案内リブ)７３は、図９,図１０に示す如く、前記後壁４７から前側に延在する延出壁７３ａと、該延出壁７３ａにおける第２球通路６２の中央側を向く内面において上下に離間して内側に突出する一対の第１突条７３ｂ,７３ｂとを備え、該一対の第１突条７３ｂ,７３ｂによってパチンコ球Ｐを案内し得るよう構成される。各第１突条７３ｂの内面は、前側から後側に向かうにつれて第２球通路６２の中央側に変位するように傾斜し、該内面に接触したパチンコ球Ｐを第２球通路６２の中央側に向けて導き得るよう構成されている。また、両第１突条７３ｂ,７３ｂの対向面は、前側から後側に向かうにつれて相互に離間するように傾斜すると共に、延出壁７３ａにおける両第１突条７３ｂ,７３ｂの間に臨む内面は、前側から後側に向かうにつれて第２球通路６２の中央側に変位するように傾斜している。そして、後述する第２ＬＥＤ７６ａから入射された光を、第１突条７３ｂおよび延出壁７３ａの内面(傾斜面)および両第１突条７３ｂ,７３ｂの対向面(傾斜面)で内部反射させてリブ前端部に導くことで、光を前端部に集めて強い光を射出し得るよう構成されている。また、第１案内リブ７３の前部には、当接したパチンコ球Ｐを後側に向けて誘導する傾斜面７３ｃが形成されている。具体的には、第１案内リブ７３の傾斜面７３ｃは、前側から後側に向かうにつれて第２案内リブ７４側に変位するように形成されており、傾斜面７３ｃに当接したパチンコ球Ｐは該傾斜面７３ｃによって斜め右後方に向けて案内されるようになっている。
【００５０】
また、前記第１案内リブ７３は、前記後壁４７において本体３６における前記作動軸７２の左端部(一端部)が支持される前後の左側壁(一方の側壁)４５,５０の内面(本体３６の内周壁面)から第２球通路６２の中央側に離間した位置を前側に延在するよう構成される。そして、該第１案内リブ７３と左側壁４５,５０との間に収容部７５が画成されて、該収容部７５に、前記始動用開閉部材５９の係合部６１ａと作動軸７２に設けられた前記連繋部７２ａとが収容されるようになっている。すなわち、本体３６に内部画成された前記入賞空間６３は、図１０に示す如く、第１案内リブ７３によって第２球通路６２と収容部７５とに区画されており、収容部７５に収容された係合部６１ａと連繋部７２ａとの係合部位に第２球通路６２を流下するパチンコ球Ｐが接触するのを、該パチンコ球Ｐを案内する第１案内リブ７３によって規制し得るよう構成されている。言い替えると、係合部６１ａと連繋部７２ａとの係合部位が収容される収容部７５は、第１案内リブ７３を挟んで第２球通路６２と反対側に、本体３６の左側壁４５,５０の内面(内周壁面)と第１案内リブ７３との間に形成されており、第２球通路６２を流下するパチンコ球Ｐが収容部７５へ移動するのを第１案内リブ７３で規制するようになっている。また、始動入賞装置２９に設けられた収容部７５は、前記第１球流下領域２３ａ側に位置している。
【００５１】
前記第１案内リブ７３は、前記始動用開閉部材５９が閉成状態と開放状態との間を変位する際の前記作動片６１の移動経路より右側(第２球通路６２の中央側)に臨んでいる。また、第１案内リブ７３の前端は、始動用開閉部材５９が開放状態となった状態での作動片６１と一部が左右方向に重なる位置まで延出するよう設定されている(図４,図８,図１０参照)。具体的には、始動用開閉部材５９が開放状態となった状態での作動片６１の傾斜面６１ｂにおける後端縁より後側に、第１案内リブ７３の傾斜面７３ｃにおける前端縁が位置するように左右方向に重なるよう構成されている。また、第１案内リブ７３の前端は、第２始動入賞口３８の後方に位置すると共に、始動用開閉部材５９が開放状態となった状態での作動片６１が第２始動入賞口３８と第１案内リブ７３との間の隙間に位置し、該作動片６１の前記傾斜面６１ｂと第１案内リブ７３の前記傾斜面７３ｃとが前後方向に略連続して位置する関係となっている。すなわち、第２始動入賞口３８に入賞するパチンコ球Ｐを、作動片６１および第１案内リブ７３の傾斜面６１ｂ,７３ｃによって斜め右後方に向けて誘導し得るようになっている。
【００５２】
前記第２案内リブ(他方の案内リブ、別の案内リブ)７４は、図９,図１０に示す如く、前記後右側壁５１における下側壁部(他方の側壁)５１ｂの内面において上下に離間して内側に突出する一対の第２突条７４ａ,７４ａからなり、該一対の第２突条７４ａ,７４ａによってパチンコ球Ｐを案内し得るよう構成される。なお、第２案内リブ７４の後端は、前記後部材４０の後壁４７に接続している。第２案内リブ７４(各第２突条７４ａ)における前記第１案内リブ７３と対向する側面(内面)は、前側から後側に向かうにつれて第２球通路６２の中央側に変位するように傾斜し、該内面に接触したパチンコ球Ｐを第２球通路６２の中央側に向けて導き得るよう構成されている。また、両第２突条７４ａ,７４ａの対向面は、前側から後側に向かうにつれて相互に離間するように傾斜している。そして、後述する第２ＬＥＤ７６ａから入射された光を、各第２突条７４ａの内面(傾斜面)および両第２突条７４ａ,７４ａの対向面(傾斜面)で内部反射させてリブ前端部に導くことで、光を前端部に集めて強い光を射出し得るよう構成されている。また、第２案内リブ７４(各第２突条７４ａ)における前記第１案内リブ７３と対向する側面(内側)の前部には、当接したパチンコ球Ｐを後側に向けて誘導する傾斜面７４ｂが形成されている。具体的には、第２案内リブ７４の傾斜面７４ｂは、図１０に示す如く、前側から後側に向かうにつれて第１案内リブ７３側に変位するように形成されており、傾斜面７４ｂに当接したパチンコ球Ｐは該傾斜面７４ｂによって斜め左後方に向けて誘導されるようになっている。
【００５３】
前記第２案内リブ７４の前部は、前記後部材４０の下側壁部５１ｂにおける前端から所定長さだけ前側に延出し、前記前部材３９と後部材４０とを前後に組み付けた際に、該第２案内リブ７４の延出部が、前部材３９における前記内側壁４２ａの内側に当接位置するよう構成される(図１０参照)。また、第２案内リブ７４の前端部は、前記第１案内リブ７３における傾斜面７３ｃより後側に位置すると共に、該第２案内リブ７４の傾斜面７４ｂは前記第１案内リブ７３の傾斜面７３ｃより後側に位置する。そして、第２案内リブ７４の傾斜面７４ｂは、第１案内リブ７３の傾斜面７３ｃで誘導されるパチンコ球Ｐが当接可能な位置に臨むよう構成される。すなわち、第１案内リブ７３の傾斜面７３ｃで斜め右後方に誘導されたパチンコ球Ｐが、第２案内リブ７４の傾斜面７４ｂで斜め左後方に向けて誘導されて、該パチンコ球Ｐが前記落下口６５ａから落下するようになっている。
【００５４】
ここで、前記第１案内リブ７３および第２案内リブ７４の前端(具体的には傾斜面７３ｃ,７４ｂ)は、前記前部材３９の取着部４１に開口する前記第２始動入賞口３８の内側に位置して、該前端が閉成状態の始動用開閉部材５９の裏面に対向して、該案内リブ７３,７４で導びかれて傾斜面７３ｃ,７４ｂから射出される光が始動用開閉部材５９に照射可能に構成されている。
【００５５】
(第２ＬＥＤ７６ａについて)
図７,図８,図１０に示す如く、前記本体３６の後側(外側)には、第２発光基板(発光基板)７６が配設されている。具体的には、本体３６を構成する前記後部材４０における後壁４７の後側に、該後壁４７から前面を離間して第２発光基板７６が配設されている。そして、第２発光基板７６の前面には、前記第２球通路６２と対応する位置に発光手段としての第２ＬＥＤ７６ａが実装されており、該第２ＬＥＤ７６ａを発光することで、透明な後壁４７を介して第２球通路６２を後方から照明し得るよう構成される。実施例の始動入賞装置２９では、図９に示す如く、３つの第２ＬＥＤ７６ａ,７６ａ,７６ａが左右方向に離間して配置されている。具体的には、前記上リブ６６の後方(真後ろ)に１つの第２ＬＥＤ７６ａが位置し、第１案内リブ７３の後方に１つの第２ＬＥＤ７６ａが位置し、第２案内リブ７４の後方に１つの第２ＬＥＤ７６ａが位置しており、これら３つの第２ＬＥＤ７６ａ,７６ａ,７６ａからの光は、上リブ６６および左右の案内リブ７３,７４に向けて照射されるようになっている。すなわち、第２ＬＥＤ７６ａ,７６ａ,７６ａの光によって上リブ６６および案内リブ７３,７４が明輝し得るよう構成されている。また、第１案内リブ７３および第２案内リブ７４の後方に位置する各第２ＬＥＤ７６ａは、該第２ＬＥＤ７６ａの一部が対応する案内リブ７３,７４の真後ろに対向して位置すると共に、他の部分が該案内リブ７３,７４と上リブ６６との間の後壁４７に対向して位置しており、左右両側の第２ＬＥＤ７６ａ,７６ａからの光は、一部が対応する案内リブ７３,７４に後端から入射されると共に、一部は後壁４７を介して第２球通路６２内におよび各リブ６６,７３,７４の壁面(内面)に照射されるようになっている。
【００５６】
(第３ＬＥＤ７６ｂについて)
前記前部材３９には、図１１に示す如く、前記各ガイド部５７の配設位置に対応して前後方向に貫通する光通路７７ａが形成された筒状部７７が一体的に設けられている。また、前記後部材４０の後壁４７には、各筒状部７７と対応する位置に通孔４７ｅが形成されている。そして、前部材３９の筒状部７７と後部材４０の後壁４７との間に、不透明の筒状部材７８が介挿されて、後壁４７の通孔４７ｅと筒状部７７の光通路７７ａとが筒状部材７８によって前後方向に連通するよう構成されている。また、前記第２発光基板７６の前面には、後壁４７の各通孔４７ｅに対応する位置に発光手段としての第３ＬＥＤ７６ｂが実装されており、該第３ＬＥＤ７６ｂの光は、通孔４７ｅ、筒状部材７８の内部および光通路７７ａを通って前記ガイド部５７の内部や後端に照射されるようになっている。
【００５７】
ここで、前部材３９に一体形成された筒状部７７は、光透過性ではあるものの有色で光透過度は低く設定されており、該光透過度の低い筒状部７７と不透明の筒状部材７８とで第３ＬＥＤ７６ｂからの光を前側に案内するよう構成したので、前記ガイド部５７から後側に離れた位置に配置されている第３ＬＥＤ７６ｂからの光を大きく減衰させることなくガイド部５７に照射させ得るようになっている。
【００５８】
〔実施例の作用〕
次に、実施例に係るパチンコ機１０の作用について説明する。
【００５９】
前記前枠１３の前面側に設けられた前記操作ハンドル１６の操作レバー１６ａを遊技者が回転操作すると、前記打球発射装置から発射されたパチンコ球Ｐが前記遊技領域２３内に打ち出される。遊技状態が通常状態の場合は、前記操作レバー１６ａの回動量を調節して「左打ち」を行うことで、遊技領域２３に打ち出されたパチンコ球Ｐは前記第１球流下領域２３ａを流下する。そして、第１球流下領域２３ａを流下するパチンコ球Ｐが、前記始動入賞装置２９の第１始動入賞口３７に入賞すると、前記第１始動入賞検出センサによる球検出を契機として、前記制御手段が各種情報(各種乱数情報)を取得して、この取得した入賞情報に基づいて大当り判定が行われる。
【００６０】
また、前記第１始動入賞検出センサによる球検出を契機と前記表示装置１７で図柄変動演出が開始され、前記大当り判定が当りの判定結果の場合は、表示装置１７の表示部１７ａに当り表示が表示されて大当り遊技が開始される。この大当り遊技では、前記特別入賞装置３０の特別用開閉部材３０ｂが開放作動されて特別入賞口３０ａへのパチンコ球Ｐの入賞が許容される。従って、遊技者が前記操作レバー１６ａの回転量を変更して「右打ち」を行うことで、遊技領域２３に打ち出されたパチンコ球Ｐは前記第２球流下領域２３ｂを流下し、開放した特別入賞口３０ａにパチンコ球Ｐが入賞することで多くの賞球を獲得することが可能となる。
【００６１】
前記制御手段が、大当り遊技の終了後に確変状態や変短状態を付与することを決定した場合は、「右打ち」を行うことで遊技者にとって有利な遊技が行われる。従って、確変状態や変短状態が付与された状態では、遊技者は大当り遊技が付与されている状態(大当り状態)の場合と同様に、前記操作レバー１６ａの回転量を調節して「右打ち」を行う。そして、第２球流下領域２３ｂを流下するパチンコ球Ｐの前記ゲート部３１の通過(具体的にはゲートセンサによる球検出)を契機として制御手段で実行される普図当り判定の結果が当りの場合に、前記作動手段６８の始動入賞ソレノイド６９が制御手段の制御下に作動(励磁)されて始動用開閉部材５９が開放作動し、前記第２始動入賞口３８へのパチンコ球Ｐの入賞が許容される。
【００６２】
実施例に係るパチンコ機１０の始動入賞装置２９では、前記第２発光基板７６に実装した第２ＬＥＤ７６ａを発光させると、その光が前記第２球通路６２においてパチンコ球Ｐを案内する第１および第２案内リブ７３,７４に照射されて該案内リブ７３,７４が明輝し、第２球通路６２内が照明される。すなわち、前記始動用開閉部材５９が開放した状態では、案内リブ７３,７４が明輝することで照明された第２球通路６２内におけるパチンコ球Ｐの流下状況の視認性を高めて演出効果を向上することができる。また、第１案内リブ７３および第２案内リブ７４は、図９,図１０に示す如く、第２球通路６２の左右両側に位置しているので、両案内リブ７３,７４による照明効果を高めると共に、明輝(発光)する一対の案内リブ７３,７４の間をパチンコ球Ｐが流下する際の発光演出によって興趣を向上できる。
【００６３】
前記第２ＬＥＤ７６ａの光は、前記上リブ６６にも照射されて、該上リブ６６が明輝することによっても第２球通路６２内が照明される。この上リブ６６は、前記始動用開閉部材５９の開放状態では、前記第２始動入賞口３８の幅方向中央の奥側に位置し、前記第１案内リブ７３と第２案内リブ７４との間を流下するパチンコ球Ｐで一部が隠れる状態となる。そして、第２球通路６２を流下して前記落下口６５ａからパチンコ球Ｐが落下すると、上リブ６６におけるパチンコ球Ｐで隠れていた部分が露出する。すなわち、第２始動入賞口３８に入賞したパチンコ球Ｐの落下前と落下後とで明輝している上リブ６６の見え方が変わり、興趣を向上し得る。
【００６４】
また、前記始動用開閉部材５９は光透過性であるので、該始動用開閉部材５９が閉成状態であっても、前記各リブ６６,７３,７４が明輝して第２球通路６２内が照明されていれば、始動用開閉部材５９を介して第２球通路６２内の発光演出を認識することができ、興趣を向上し得る。しかも、前記案内リブ７３,７４の前端は始動用開閉部材５９の裏面に対向しているので、第２ＬＥＤ７６ａが発光した際には後端から入射して透明な案内リブ７３,７４で導びかれて前端から射出される光によって始動用開閉部材５９を明輝させることができ、始動入賞装置２９の発光演出による興趣をより向上できる。すなわち、第２球通路６２を流下するパチンコ球Ｐを案内する案内リブ７３,７４を、光を導びく導光部材として機能させているので、閉成状態の始動用開閉部材５９と第２ＬＥＤ７６ａとの離間距離が長くても強い光で始動用開閉部材５９を照明することができ、発光演出効果を向上し得る。また、第１案内リブ７３における各第１突条７３ｂの内面、延出壁７３ａにおける両第１突条７３ｂ,７３ｂの間に臨む内面および両第１突条７３ｂ,７３ｂの対向面を夫々傾斜させているので、第２ＬＥＤ７６ａから後端に入射された光を各傾斜面で内部反射させて第１案内リブ７３の前端部に導き、前端部から強い光を射出することができる。また、第２案内リブ７４における各第２突条７４ａの内面および両第２突条７４ａ,７４ａの対向面を夫々傾斜させているので、第２ＬＥＤ７６ａから後端に入射された光を各傾斜面で内部反射させて第２案内リブ７４の前端部に導き、前端部から強い光を射出することができる。すなわち、始動用開閉部材５９から後側に離れて位置する第２ＬＥＤ７６ａ,７６ａからの光を両案内リブ７３,７４で集光して射出できるので、始動用開閉部材５９をより強い光で照明することができる。更に、各案内リブ７３,７４の前端部に設けられた傾斜面７３ｃ,７４ｂからは、第２始動入賞口３８の幅方向の中央に向けて光が射出されるので始動用開閉部材５９の幅方向の中央部が明輝してより目立たせることができる。
【００６５】
ここで、実施例の始動入賞装置２９では、第１案内リブ７３に対して第２ＬＥＤ７６ａは、図９に示す如く、該第１案内リブ７３における延出壁７３ａおよび各第１突条７３ｂの後端に対向すると共に、延出壁７３ａおよび両第１突条７３ｂ,７３ｂで囲われた空間部に対向するように配置されており、該第２ＬＥＤ７６ａから光が照射される部位が異なることで第１案内リブ７３の明輝態様が異なって興趣を向上し得る。同様に、第２案内リブ７４に対して第２ＬＥＤ７６ａは、該第２案内リブ７４における各第２突条７４ａの後端に対向すると共に、両第２突条７４ａ,７４ａおよび下側壁部５１ｂで囲われた空間部に対向するように配置されており、該第２ＬＥＤ７６ａから光が照射される部位が異なることで第２案内リブ７４の明輝態様が異なって興趣を向上し得る。また、第１案内リブ７３における延出壁７３ａの両第１突条７３ｂ,７３ｂの間に臨む内面や第２案内リブ７４の両第２突条７４ａ,７４ａの間に臨む下側壁部５１ｂの内面は、各第２ＬＥＤ７６ａから照射された光によって各リブ７３,７４の延在方向(第２球通路６２の延在方向)に沿うように照らされるので第２球通路６２の全体を照明できる。
【００６６】
実施例の始動入賞装置２９では、前記第２球通路６２を流下するパチンコ球Ｐを案内する第１案内リブ７３を利用して、前記始動用開閉部材５９を開閉作動させる作動手段６８における連繋部７２ａと始動用開閉部材５９の係合部６１ａとの係合部位を収容する収容部７５と第２球通路６２とを区画するよう構成したので、第２球通路６２を流下するパチンコ球Ｐが係合部位に接触するのを防止するために別部材を設ける場合に比較して構成を簡略化し得る。すなわち、第１案内リブ７３によってパチンコ球Ｐのスムーズな流下を図って第２球通路６２内での球詰りを抑制し得るもとで、該第１案内リブ７３によって連繋部７２ａと係合部６１ａとの係合部位にパチンコ球Ｐが接触するのを防止し得る。また、収容部７５と第２球通路６２とを区画する壁を別途設ける場合に比較して省スぺース化を図り、スペース効率を向上することができる。
【００６７】
また、前記第１案内リブ７３は、図１０に示す如く、前記第２球通路６２の後面を画成する後壁４７から前側に延在するように形成されているので、該第２球通路６２の後端部に形成されている排出路６５(落下口６５ａ)までパチンコ球Ｐをスムーズに案内して排出することができ、球詰りをより抑制し得る。
【００６８】
実施例の始動入賞装置２９では、前記始動用開閉部材５９を開閉作動させる作動手段６８における連繋部７２ａと始動用開閉部材５９の係合部６１ａとの係合部位を収容する収容部７５を本体３６の左側に偏って設けると共に、作動手段６８の駆動手段である始動入賞ソレノイド６９を右側に偏って設けている。すなわち、収容部７５と始動入賞ソレノイド６９とを左右に振り分けているので、本体３６に対してスペース効率良く収容部７５と始動入賞ソレノイド６９とを設けることができる。
【００６９】
前記始動用開閉部材５９の開放状態において、該始動用開閉部材５９を開閉作動させる作動手段６８と係合するための作動片６１を第２始動入賞口３８における開口縁の内側に位置させると共に、該作動片６１に、パチンコ球Ｐを第２球通路６２の後側(奥側)に誘導する傾斜面６１ｂを形成したので、作動片６１を利用してパチンコ球Ｐを第２球通路６２の後側に向けてスムーズに誘導することができ、第２球通路６２内での球詰りの発生を抑制し得る。また、始動用開閉部材５９の開放状態において、作動片６１と前記第１案内リブ７３とを左右方向に部分的に重なる関係とし、作動片６１の傾斜面６１ｂの後側に第１案内リブ７３の傾斜面７３ｃを位置させたことで、第２始動入賞口３８に入賞したパチンコ球Ｐを両傾斜面６１ｂ,７３ｃによって第２球通路６２の後側に向けてよりスムーズに誘導することができる。更に、図１０に示す如く、前記第１案内リブ７３の傾斜面７３ｃに対して第２案内リブ７４の傾斜面７４ｂを第２球通路６２の後側(奥側)に離間して位置させると共に、第１案内リブ７３の傾斜面７３ｃで後側に誘導されるパチンコ球Ｐが第２案内リブ７４の傾斜面７４ｂに当接可能に構成している。すなわち、左右に対向する両案内リブ７３,７４の傾斜面７３ｃ,７４ｂによってパチンコ球Ｐをスムーズに第２球通路６２の後側に誘導することができ、第２球通路６２内での球詰りをより好適に抑制し得る。
【００７０】
ここで、実施例の始動入賞装置２９では、前記第２始動入賞口３８の左右方向の開口寸法をパチンコ球Ｐの直径の２倍以上に設定し、前記始動用開閉部材５９の開放状態において遊技者に第２始動入賞口３８の間口を大きく見せ得るよう構成されている。但し、前述したように始動用開閉部材５９の開放状態において第２始動入賞口３８の開口左端縁側に前記作動片６１が位置することで、２つのパチンコ球Ｐが左右に並んだ状態では第２始動入賞口３８に入賞し得ないよう構成されている。すなわち、遊技者に多くのパチンコ球Ｐが一度に入賞可能であるように見せ掛けることで興趣を向上しつつ、複数のパチンコ球Ｐが一度に入賞することで球詰りが発生するのを防止し得るようになっている。
【００７１】
また、前記「左打ち」で第１球流下領域２３ａを流下するパチンコ球Ｐに比較して「右打ち」で第２球流下領域２３ｂを流下するパチンコ球Ｐの勢いは強く、始動入賞装置２９に対して右側(第２球流下領域２３ｂ)から流れてくるパチンコ球Ｐが第２始動入賞口３８に入賞する際の勢いは強い。そのため、第２始動入賞口３８の左開口縁に当接したパチンコ球Ｐの移動方向が乱れて次に流れてくるパチンコ球Ｐと接触することで球詰りを生じ易い。しかるに、実施例の始動入賞装置２９では、始動用開閉部材５９の開放状態において第２始動入賞口３８の左開口縁に作動片６１の傾斜面６１ｂを位置させているので、第２球流下領域２３ｂから流れてくるパチンコ球Ｐを作動片６１の傾斜面６１ｂによって第２球通路６２の後側にスムーズに導びくことができ、次に流れてくるパチンコ球Ｐとに接触によって球詰りが発生するのを抑制することができる。
【００７２】
ここで、前記第２球流下領域２３ｂから勢いよく第２始動入賞口３８に到来するパチンコ球Ｐが当る第２始動入賞口３８の左開口縁側に、前記連繋部７２ａと係合部６１ａとの係合部位を収容する収容部７５を画成している。この収容部７５を画成する前記第１案内リブ７３は、上下端部および前端部は何れも第２球通路６２を画成する壁に接続されていないので、前記収容部７５は第２球通路６２側に大きく開放された状態となっている(図９参照)。従って、第２球流下領域２３ｂから到来したパチンコ球Ｐが第２始動入賞口３８の左開口縁側に当った際の衝撃音が大きく響くのを抑えることができる。
【００７３】
実施例の始動入賞装置２９では、前記第１始動入賞口３７を形成する入賞口画成部材５２の内部に第１ＬＥＤ５４ａを設置して(図７,図８参照)、該第１ＬＥＤ５４ａの光により入賞口画成部材５２を明輝させることで、遊技者の関心が高い第１始動入賞口３７を目立つようにすることができ、興趣を向上し得る。また、第１ＬＥＤ５４ａが実装される第１発光基板５４に接続する配線を、前記本体３６の内部に画成した配線用空間５５を引き回して該本体３６の後側から外部に引き出すよう構成したので、該配線が第１始動入賞口３７に入賞したパチンコ球Ｐが流下する前記第１球通路５６や第２始動入賞口３８に入賞したパチンコ球Ｐが流下する前記第２球通路６２に突出してパチンコ球Ｐの流下を阻害することはない。
【００７４】
また、前記本体３６の前部において前記第２始動入賞口３８を挟む左右に位置する前記ガイド部５７,５７を、本体３６の後側に配設した第３ＬＥＤ７６ｂの光により明輝させることで、遊技者の関心が高い第２始動入賞口３８を目立つようにすることができ、興趣を向上し得る。また、第３ＬＥＤ７６ｂは、前記第２ＬＥＤ７６ａが実装される第２発光基板７６に実装してあるので、第３ＬＥＤ７６ｂのための専用の発光基板を別途設ける必要はなく、部品点数を低減し得ると共に構造を簡略化することができる。しかも、第３ＬＥＤ７６ｂからの光を不透明な筒状部材７８および光透過度が低い筒状部７７によってガイド部５７の後部まで導びくようにしているので(図１１参照)、該ガイド部５７を強い光で明輝させて発光演出効果を向上し得る。言い替えると、前記第２球通路６２を後方から照明する第２ＬＥＤ７６ａが実装される第２発光基板７６に第３ＬＥＤ７６ｂを実装して部品の共通化を図ることで第３ＬＥＤ７６ｂで照明するガイド部５７との距離が離間しても、該第３ＬＥＤ７６ｂの光を効率的にガイド部５７まで導びいて効果的に明輝させることができる。また、第３ＬＥＤ７６ｂの光を導びく不透明な筒状部材７８を、前記前部材３９および後部材４０とは別体で構成したので、前部材３９や後部材４０における第３ＬＥＤ７６ｂの光を導びく部分を他の部分とは異なる不透明とする必要はなく、部品の製造を容易化し得る。
【００７５】
〔変更例〕
本願は前述した実施例の構成に限定されるものではなく、その他の構成を適宜に採用することができる。
(1) 実施例では、始動入賞装置に２つの始動入賞口を設けた場合で説明したが、始動入賞口は１つであってもよい。すなわち、入賞装置は、開閉部材によって開閉可能な入賞口のみを設けたものであってもよい。
(2) 実施例では、入賞装置として、パチンコ球の入賞が大当り判定(当り判定)の契機となる始動入賞口を設けた始動入賞装置を挙げたが、入賞装置は、賞球のみが発生する入賞口(普通入賞口)を設けた入賞装置(普通入賞装置)または特別入賞装置であってもよい。
(3) 実施例では、第２球通路(球通路)の左右に設けた案内リブを、本体外部に配置した第１ＬＥＤ(発光手段)からの光によって明輝させるよう構成したが、球通路の下側(実施例の下リブ)を発光手段によって明輝させる構成を採用し得る。すなわち、本体外部に配置した発光手段で明輝させる案内リブは、球通路の上下左右の何れの位置に設けられているものであってもよい。
(4) 実施例では、案内リブを明輝させる第１ＬＥＤ(発光手段)を始動入賞装置(入賞装置)の本体に配設した場合で説明したが、遊技盤に入賞装置を配設した状態で本体外部から案内リブに向けて光を照射可能であれば、設置部材や遊技盤等に発光手段を配設する構成を採用し得る。
【００７６】
(5) 実施例では、始動入賞装置(入賞装置)における第２球通路(球通路)を内部画成する本体の全体を光透過性に構成したが、発光手段からの光を案内リブに照射可能な領域のみを光透過性として、他の部分は非光透過性としてもよい。すなわち、本体は、外部の発光手段からの光が案内リブに照射可能な少なくとも一部が光透過性となっていればよい。
(6) 実施例では、第２球通路を流下したパチンコ球を下方に排出するよう構成したが、左右何れか一側方に排出させる構成を採用し得る。
(7) 実施例では、始動入賞装置(入賞装置)の本体を、球通路の前半部が画成される前部材と後半部が画成される後部材とから構成したが、球通路の全体が画成される球通路画成部材と、該球通路画成部材における球通路の後開口を閉塞する後壁部材とから本体を構成することもできる。
(8) 実施例では、案内リブについて、パチンコ球を案内する２つの突条を設けた構成としたが、該案内リブはパチンコ球を一点で支持して案内し得る構成であってもよい。
(9) 実施例では、第１案内リブと第２案内リブとの前端位置を前後方向にずらして配置した場合で説明したが、両案内リブの前端位置を前後方向で揃った位置に位置させる構成を採用し得る。例えば、第１案内リブの前端位置と同じ位置まで第２案内リブの前端を延在させることで、第１球流下領域から到来して第２始動入賞口に入賞したパチンコ球を第２案内リブで後側に向けてスムーズに誘導し得ると共に、第２球流下領域から到来して第２始動入賞口に入賞したパチンコ球を第１案内リブで後側に向けてスムーズに誘導することができる。
【００７７】
(10) 実施例では、上リブおよび左右の案内リブの夫々の後方位置に第２ＬＥＤ(発光手段)を配置したが、２つの第２ＬＥＤを上リブを挟んで左右方向に離間して配置する構成であってもよい。具体的には、第１案内リブと上リブとの間に１つの第２ＬＥＤを配置し、第２案内リブと上リブとの間に１つの第２ＬＥＤを配置する構成とし、これら２つの第２ＬＥＤからの光が上リブおよび左右の案内リブに向けて照射されるようになっていればよい。この場合においても、第２ＬＥＤからの光の一部が各リブに後端から入射すると共に、該光の一部が各リブの壁面に照射されるよう構成することで、明輝したリブで第２球通路内を照明し得ると共に、リブで導かれた光によって始動用開閉部材を後側から照明することができる。
(11) 実施例では、案内リブを明輝させる第２ＬＥＤ(発光手段)を本体の後側に配置したが、該発光手段は、案内リブに向けて光を照射して該案内リブを明輝し得る位置であれば、本体の側部、上部または下部であってもよい。
(12) 実施例では、発光手段としてＬＥＤを採用した場合で説明したが、該発光手段はランプ等、その他の発光手段であってもよい。
(13) 実施例では、第１案内リブの内面(第１突条の内面、延出壁の内面)や両第１突条の対向面、第２案内リブにおける各第２突条の内面および両第２突条の対向面を夫々傾斜させたが、各面を傾斜させない構成を採用し得る。
【００７８】
(14) 実施例では、始動用開閉部材が開放状態での作動片と、第１案内リブの前端部とが左右方向に重なるよう構成したが、該作動片の後端と第１案内リブの前端とが、パチンコ球が収容部へ移動するのを規制し得る寸法であれば前後方向に離間していてもよい。すなわち、作動片と第１案内リブとは、必ずしも左右方向に重なっていなくてもい。
(15) 実施例では、始動用開閉部材を開閉作動する始動入賞ソレノイド(駆動手段)を本体の右側に配置すると共に、始動用開閉部材の作動片と作動手段の連繋部との係合部位を収容する収容部を本体の左側に設けたが、収容部と駆動手段の配置は逆であってもよい。
(16) 実施例では、始動入賞装置(入賞装置)を第１球流下領域と第２球流下領域との合流部に配置したが、入賞装置の配設位置は、第１球流下領域または第２球流下領域であってもよく、該入賞装置の機能に応じた位置に配置すればよい。
(17) 実施例では、第２始動入賞口を開閉する始動用開閉部材(開閉部材)として、前後方向に傾動する形態を採用した場合で説明したが、上下方向または左右方向にスライド移動することで入賞口を開閉する形態や、一対の羽根部材を相互に近接した閉成状態と相互に離間した開放状態とに変位する形態等、その他各種形態のものを採用可能である。
(18) 実施例では、第１始動入賞口および第２始動入賞口に入賞したパチンコ球を別々の始動入賞検出センサで検出するよう構成したが、該第１および第２始動入賞口に入賞したパチンコ球を検出する始動入賞検出センサ(検出手段)を共通にしてもよい。
(19) 遊技機としては、パチンコ機に限られるものではなく、アレンジボール機、パチンコ球(遊技球)を遊技媒体としたスロットマシン等、その他各種の遊技機であってもよい。
【符号の説明】
【００７９】
２０ 遊技盤
２３ 遊技領域
２９ 始動入賞装置(入賞装置)
３６ 本体
３８ 第２始動入賞口(入賞口)
５９ 始動用開閉部材(開閉部材)
６１ 作動片
６２ 第２球通路(球通路)
６８ 作動手段
７２ａ 連繋部
７３ 第１案内リブ(案内部)
７３ｃ 傾斜面
７４ 第２案内リブ(案内部)
７４ｂ 傾斜面
７５ 収容部
Ｐ パチンコ球(遊技球)
【図１】
0006294274.tif 000002
【図２】
0006294274.tif 000003
【図３】
0006294274.tif 000004
【図４】
0006294274.tif 000005
【図５】
0006294274.tif 000006
【図６】
0006294274.tif 000007
【図７】
0006294274.tif 000008
【図８】
0006294274.tif 000009
【図９】
0006294274.tif 000010
【図１０】
0006294274.tif 000011
【図１１】
0006294274.tif 000012